(57)【要約】【課題】  カードインタフェースの交換を容易にすることの可能な電子機器を提供することを目的とする。【解決手段】  回路基板１０の上面１０ａには固定用のスタッド２０が設けられ、スタッド２０に設けられた穴２０ａと回路基板１０上の貫通穴１５とは連通するようになっている。カードコネクタ３０は、回路基板１０に設けられたスタッド２０と接続端子コネクタ１６とによって回路基板１０に固定される。カードコネクタ３０に設けられた固定用の冶具３７はねじの通る穴３７ａを備え、冶具３７、スタッド２０に設けられた穴をねじが通り、カードコネクタ３０と回路基板１０と、前述の電子機器の下ケース８とが一体に固定される。カードコネクタをユニット化し、固定用のスタッドやカードコネクタの形状を共通化することで複数の異なるカード型インタフェースを容易に交換して使用することができる。【選択図】  図３
2008139984.tif 000002
【特許請求の範囲】
【請求項１】
本体と、
前記本体内に設けられる回路基板と、
前記回路基板上に着脱可能に実装されるカードコネクタと、を備え、
前記カードコネクタは、第１のカードを収納する第１の収納部と、前記第１のカードと種類の異なる第２のカードを、前記第１の収納部を共有して収納する第２の収納部とを有するユニットと着脱可能に回路基板に実装されるとともに、前記第１及び第２のカードと異なる第３のカードが収納される第３の収納部を有するユニットを備えることを特徴とする電子機器。
【請求項２】
前記第１のカードはエクスプレスカードであることを特徴とする請求項１記載の電子機器。
【請求項３】
前記第３のカードはＰＣカードであることを特徴とする請求項１記載の電子機器。
【発明の詳細な説明】
【技術分野】
【０００１】
本発明は、電子機器に関し、特にカードインタフェースの実装方法に関する。
【背景技術】
【０００２】
従来、携行が容易で、何処でも動作可能なパーソナルコンピュータに於いては、携行性とバッテリ駆動時間を重視しながら、限られた容積の中へより多くの外部インターフェースを含む機能を盛り込むようにしてきた。カード型のインタフェースとして代表的なものには、ＰＣカードやＥｘｐｒｅｓｓ  ｃａｒｄ等がある。ＰＣカードはアメリカのPCMCIA（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）と日本のJEIDA（Japanese Electronic Industry Development Association）が共同で策定したノートパソコン向けの拡張カードの統一規格である。ＰＣカードはフラッシュメモリカードやハードディスク、SCSIカード、LANカード、モデムカードなどに利用される。JEIDA４．２とPCMCIA２．０の後継規格にあたり、１枚で複数の機能を持ったマルチファンクショナルカードのサポートや電力管理機能の強化、３２ビット幅のバスであるCardBusの採用、３．３V駆動のサポートなどの仕様が追加された。PCカード規格はカードの厚さによってType I、Type II、Type IIIの３つの種類がある。Type Iは厚さ３．３mmで、メモリカードなどに使われる。Type IIは厚さ５mmで、もっとも広く普及しているタイプである。Type IIIは厚さ１０．５ｍｍで、ハードディスクなどに使われる。
【０００３】
一方、Ｅｘｐｒｅｓｓ  ｃａｒｄは、２００３年９月にPCMCIAによって策定された、ノートパソコン向けの拡張カードの規格である。ＰＣＭＣＩＡ規格に沿って製造された拡張カードであり、PCカードの後継規格だが、ＰＣカードとはサイズが異なり、直接の技術的互換性も無い。
【０００４】
しかし、近年様々な規格のカードインターフェースが増え、全てをサポートしようとするとパーソナルコンピュータの重量や大きさが増えて、携行性が損なわれるという問題が出始めている。
【０００５】
特許文献１には、本体に外部記憶ユニットが嵌挿される単一のユニット収納部及びコネクタを備えたコンピュータが開示されている。ユニット収納部とコネクタを外部記憶ユニットと共通に用いることで複数のメモリカード、ＩＣカード等を任意に選択して使用することができる。また、ＰＣカードに対応するスロットとＥｘｐｒｅｓｓ  ｃａｒｄに対応するスロットとをそれぞれ一つずつ縦に積層し、ＰＣカードとＥｘｐｒｅｓｓ  ｃａｒｄの両方を使用することのできる製品も現れている。
【特許文献１】特開２０００−９９２０６号公報
【発明の開示】
【発明が解決しようとする課題】
【０００６】
しかし、ＰＣカードやＥｘｐｒｅｓｓ  ｃａｒｄのようなカードインタフェースの場合、製造段階でカードコネクタを回路基板に実装してしまうのが一般的であり、一度どちらかのカードコネクタを実装してしまうと取り替えが難しいという問題がある。
【０００７】
そこで本発明の目的は、カードインタフェースの交換を容易にすることの可能な電子機器を提供することにある。
【課題を解決するための手段】
【０００８】
上記目的を達成するために本発明に係るカードコネクタは、第１のカードを収納する第１の収納部と、前記第１のカードと種類の異なる第２のカードを収納する第２の収納部とを有するユニットと着脱可能に回路基板に実装されるとともに、前記第１及び第２のカードと異なる第３のカードが収納される第３の収納部を有するユニットを備えることを特徴とするカードコネクタ。
【０００９】
上記目的を達成するために本発明に係る電子機器は、本体と、前記本体内に設けられる回路基板と、前記回路基板上に着脱可能に実装されるカードコネクタと、を備え、前記カードコネクタは、第１のカードを収納する第１の収納部と、前記第１のカードと種類の異なる第２のカードを収納する第２の収納部とを有するユニットと着脱可能に回路基板に実装されるとともに、前記第１及び第２のカードと異なる第３のカードが収納される第３の収納部を有するユニットを備えることを特徴とする。
【発明の効果】
【００１０】
本発明によれば、カードインタフェースの交換を容易にすることの可能な電子機器を提供することができる。
【発明を実施するための最良の形態】
【００１１】
以下本発明に係る実施の形態を、図面を参照して説明する。図１は本発明の実施形態に係る電子機器の外観を示す斜視図である。本実施形態では電子機器としてノート型コンピュータを例に説明する。ノート型コンピュータ１は本体２を備え、本体２にはディスプレイユニット３がヒンジ部４を介して回動可能に取り付けられている。本体２の前上面２ａにはタッチパッド５が取り付けられているとともに、パームレスト６が設けられている。本体２の後上面２ｂにはキーボード７が取り付けられている。本体２は樹脂製あるいはマグネシウム合金等の金属製の上ケース８及び下ケース９とを有し、本体２内には複数の電子部品を搭載した後述する回路基板が収容されている。
【００１２】
図２は本発明の実施形態に係る電子機器内部に収容される回路基板を示す上面図である。本体２内には複数の電子部品を搭載した回路基板１０が収容されている。回路基板１０上には図示しない配線パターンが形成される他、ＬＳＩ１１や各種のＩＣ１２、コンデンサ１３のような部品が多数実装されている。回路基板１０上には、回路基板１０と下ケース８に設けられたボスとをねじ止めするための貫通穴１４が設けられる。また、回路基板１０には後述するカードコネクタを実装するための貫通穴１５および接続端子コネクタ１６を有する。
【００１３】
接続端子コネクタ１６には後述するカードコネクタを差し込むためのスロット１７が設けられる。接続端子コネクタ１６には外側ピン１８ａ、１９ａと内側ピン１８ｂ、１９ｂとが一対ずつ設けられる。カードコネクタが接続端子コネクタ１６に差し込まれた時、信号は内側ピン１８ｂと外側ピン１８ａとの間で伝えられ、カードコネクタからの信号が内側ピン１８ｂから外側ピン１８ａを伝い回路基板１０上の部品に伝えられる。また、回路基板１０上の部品からの信号が外側ピン１８ａから内側ピン１８ｂを伝いカードコネクタに伝えられる。内側ピン１９ｂと外側ピン１９ａとの間でも同様にカードコネクタと回路基板１０上の部品とで信号のやりとりがなされる。
【００１４】
図３は本発明の実施形態に係る電子機器内の回路基板に実装されるカードコネクタを示す断面図である。図４は本発明の実施形態に係るカードコネクタのカード実装面を示す上面図である。回路基板１０の上面１０ａには固定用のスタッド２０が設けられ、スタッド２０に設けられた穴２０ａと回路基板１０上の貫通穴１５とは連通するようになっている。
【００１５】
カードコネクタ３０の筐体は上面３１ａと下面３１ｂと背面３１ｃとで形成され、カード３５の挿入口となる開口部３２が背面３１ｃと対向する方向に形成される。カードコネクタ３０の背面３１ｃには、カード３５を挿入した時にカード３５の先端３５ａが当接するように端子部３３が設けられる。カード３５の先端３５ａには、カードコネクタ３０の端子部３３と導通する端子が設けられる。
【００１６】
カードコネクタ３０は、回路基板１０に設けられたスタッド２０と接続端子コネクタ１６とによって回路基板１０に固定される。カードコネクタ３０に設けられた固定用の冶具３７はねじの通る穴３７ａを備え、冶具３７、スタッド２０に設けられた穴をねじが通り、カードコネクタ３０と回路基板１０と、前述の電子機器の下ケース８とが一体に固定される。この時、カードコネクタ３０の接続端子３８は回路基板１０上に設けられた接続端子コネクタ１６とドッキングされ、接続端子３８を介してカードコネクタ３０と回路基板１０とが電気的にも接続される。  
【００１７】
図５は本発明の実施形態に係る接続端子コネクタのピンアサインを模式的に示す図である。
図４に示したカード３５がカードコネクタ３０に挿入された場合、カード３５と回路基板１０との間の通信には、例えば外側ピン１８ａが使用される。この場合、外側ピン１９ａは他の信号を通信するためのピンとして使用することができる。外側ピン１８ａと外側ピン１９ａとの割り振りは上記のものと逆であっても良い。
【００１８】
図６および図７は、図４に示したカードと異なるカードを使用する際のカードコネクタのカード実装面を示す上面図である。図８は図４に示したカードと異なるカードを使用する際の接続端子コネクタのピンアサインを模式的に示す図である。本発明を実施するに際して、図６、図７に示すように異なる種類のカードを挿入することができるようにしても良い。図６および図７の説明において、図４と同じ構成には同じ符号を付し、重複する説明を省略する。図６および図７に示すカードコネクタ３０ａが図４に示すカードコネクタ３０と異なるのは、端子部３３ａの位置が端子部３３とは異なり、サイズの異なるカードが挿入されるようになっている点である。
【００１９】
カードコネクタ３０ａには、カード４５および５５が挿入される。カード４５の先端には端子４５ａが設けられ、カード５５の先端には端子５５ａが設けられる。カード４５は矩形状に形成される一方、カード５５は端子５５ａの設けられる端部が突出するような形状をしている。図６に示すようにカード４５は破線で示す矩形の領域Ａに収納され、図７に示すようにカード５５は一点鎖線で示す矩形の領域Ｂに収納される。カードコネクタ３０ａのカードを収納する領域は、カード５５を挿入する際のガイドとなる突出部を有する形状をしている。カード４５の端子４５ａはカードコネクタ３０ａの端子部３３ａと当接して導通するとともに、カード５５の端子５５ａも端子部３３ａと当接して導通するようになっている。カードコネクタ３０ａの端子部３３ａは、カードコネクタ３０の端子部３３と比較して開口部３２側に突出するように形成されている。カードコネクタ３０ａをこのような形状とすることで、単一のカードコネクタ３５ａを用いて種類の異なるカード型電子部品を使用することが可能となる。また、カードコネクタ３０とカードコネクタ３０ａとは、スタッド２０を設けて且つ外形寸法を共通にしているので、ねじを用いて回路基板１０と容易に着脱することができる。
【００２０】
図６に示したカード４５あるいは図７に示したカード５５がカードコネクタ３０ａに挿入された場合、カード４５あるいはカード５５と回路基板１０との間の通信には、外側ピン２８ａが使用される。一方、外側ピン２８ｂはその他の追加カードに対応させることが可能である。この場合、残った外側ピン２８ｃは他の信号を通信するためのピンとして使用することができる。外側ピン２８ａ、２８ｂ、２８ｃの割り振りは任意に決めることが可能である。
【００２１】
本発明ではカードコネクタをユニット化し、固定用のスタッドやカードコネクタの形状を共通化することで複数の異なるカード型インタフェースを容易に交換して使用することができる。
【００２２】
本実施形態を実施した場合、交換を容易にすることの可能なカードコネクタおよび電子機器を提供することができる。
【００２３】
本発明ではその主旨を逸脱しない範囲であれば、上記の実施形態に限定されるものではなく種々の変形が可能である。
【図面の簡単な説明】
【００２４】
【図１】本発明の実施形態に係る電子機器の外観を示す斜視図。
【図２】本発明の実施形態に係る電子機器内部に収容される回路基板を示す上面図。
【図３】本発明の実施形態に係る電子機器内の回路基板に実装されるカードコネクタを示す断面図。
【図４】本発明の実施形態に係るカードコネクタのカード実装面を示す上面図。
【図５】本発明の実施形態に係る接続端子コネクタのピンアサインを模式的に示す図。
【図６】図４に示したカードと異なるカードを使用する際のカードコネクタのカード実装面を示す上面図。
【図７】図４に示したカードと異なるカードを使用する際のカードコネクタのカード実装面を示す上面図。
【図８】図４に示したカードと異なるカードを使用する際の接続端子コネクタのピンアサインを模式的に示す図。
【符号の説明】
【００２５】
１…ノート型コンピュータ、２…本体、３…ディスプレイユニット、４…ヒンジ部、５…タッチパッド、６…パームレスト、７…キーボード、１０…回路基板、１４…貫通穴、１５…貫通穴、１６…接続端子コネクタ、２０…スタッド、３０…カードコネクタ、３５…カード
【図１】
2008139984.tif 000003
【図２】
2008139984.tif 000004
【図３】
2008139984.tif 000005
【図４】
2008139984.tif 000006
【図５】
2008139984.tif 000007
【図６】
2008139984.tif 000008
【図７】
2008139984.tif 000009
【図８】
2008139984.tif 000010